(57)【特許請求の範囲】
【請求項１】
ヘッド部（４）に設けた梳き櫛ユニット（１０）が、取付ベース（１５）と、取付ベース（１５）で前後スライド可能に案内される梳き櫛（１６）とを備えており、
取付ベース（１５）と梳き櫛（１６）との間には、梳き櫛（１６）のヘッド部前方へのスライド移動のみを許すラチェット構造が設けられており、
梳き櫛（１６）に、梳き櫛（１６）をヘッド部（４）の前方へ向かってスライド操作する操作ノブ（４４）が設けられており、
ラチェット構造の戻り規制動作を解除する解除操作体（３８）が、操作ノブ（４４）の前部に配置してあるバリカン。
【請求項２】
ラチェット構造は、取付ベース（１５）に設けられるラチェット歯（４８）の一群と、ラチェット歯（４８）に係脱するラチェット爪（３９）と、ラチェット爪（３９）を支持し梳き櫛（１６）に設けられる弾性アーム（３５）と、ラチェット爪（３９）とラチェット歯（４８）との係合を解除する向きに弾性アーム（３５）を変位操作する解除操作体（３８）とを含み、
ラチェット歯（４８）およびラチェット爪（３９）のそれぞれが、ラチェット歯（４８）とラチェット爪（３９）の相対移動を許す傾斜面（４８ａ・３９ａ）と、ラチェット歯（４８）とラチェット爪（３９）の相対移動を規制する規制面（４８ｂ・３９ｂ）とで鋸刃状に形成してあり、
弾性アーム（３５）のラチェット爪（３９）の前方にリブ（４６）が設けてある請求項１に記載のバリカン。
【発明の詳細な説明】
【技術分野】
【０００１】
本発明は、刈り高さを調整するための梳き櫛ユニットを備えているバリカンに関する。
【背景技術】
【０００２】
本発明に関し、バリカンのヘッド部に装着される取付ベースと、取付ベースで前後スライド自在に支持される梳き櫛とで梳き櫛ユニットを構成することは、例えば特許文献１に公知である。そこでは、梳き櫛を取付ベースに設けた一対のガイド溝で前後スライド可能に案内支持しており、バリカン刃に対する梳き櫛の前後位置を調整することにより、髪やひげの刈り高さを調整することができる。同様の梳き櫛ユニットは、特許文献２にも開示されており、そこでは梳き櫛を止めねじで取付ベースの側へ引き付けて、前後位置を調整した後の梳き櫛が不用意にスライドするのを防止している。
【０００３】
本発明においては、梳き櫛と取付ベースとの間に、梳き櫛のヘッド部前方への移動のみを許すラチェット構造を設けるが、この種のラチェット構造は特許文献３に見ることができる。そこでは、取付ベースの内面に設けたラチェット歯列と、ラチェット歯に係合するラチェット爪を備えた弾性アームとでラチェット構造を構成している。弾性アームは梳き櫛と一体に形成してあり、その先端には、取付ベースの外面に突出する操作突起を一体に設けてある。この操作突起を押し込み操作すると、ラチェット爪とラチェット歯との係合を解除して、梳き櫛をヘッド部の後方へ戻すことができる。
【先行技術文献】
【特許文献】
【０００４】
【特許文献１】特開平０５−２９３２６４号公報（段落番号００１０、図１）
【特許文献２】実開昭４９−００９４６６号公報（第２頁第１〜７行、第２図）
【特許文献３】実開昭５２−００６７７５号公報（第４頁第１３〜２０行、第６図）
【発明の概要】
【発明が解決しようとする課題】
【０００５】
特許文献１の梳き櫛ユニットにおいては、梳き櫛を調整位置に固定することができないため、使用途中に梳き櫛がずれ動くおそれがある。その点、特許文献２の梳き櫛ユニットでは、梳き櫛を任意の調整位置において止めねじで固定して、梳き櫛が不用意にスライドするのを防止することができる。しかし、所定の調整範囲内の任意位置で梳き櫛を固定できるため、バリカンを使用するごとに梳き櫛を一定位置に位置させるのが難しい。例えば、髪の刈り高さを、前回の刈り高さと同じにしたい場合に、梳き櫛を前回の調整位置に位置させるのが困難となる。また、止めねじを緩めた状態で梳き櫛をスライド操作して刈り高さを決めたのち、止めねじを締め込んで梳き櫛を固定する必要があるので、一連の操作が煩わしい。
【０００６】
その点、特許文献３の梳き櫛ユニットによれば、梳き櫛を個々のラチェット歯ごとに位置決めできるので、簡単な位置表示や合いマークを設けておくことで、梳き櫛の調整位置を一定にすることができ、調整位置の再現性に問題はない。しかし、左右一対の操作突起を押し込み操作してラチェット爪の係合を解除し、その状態を維持したままで梳き櫛を前後移動させる必要があるので、刈高さの調整を迅速に行なえない。また、多くの場合は、梳き櫛ユニットをヘッド部に装着した状態のままで梳き櫛の位置調整を行なうので、片手で本体部を支え、他方の手で位置調整操作を行なう必要があり、位置調整操作が煩わしいものとなる。
【０００７】
本発明の目的は、梳き櫛の戻り移動をラチェット構造で規制する梳き櫛ユニットにおいて、梳き櫛の位置変更を簡便に、しかも迅速に行なえるバリカンを提供することにある。
本発明の目的は、使用者の明確な意図がない限りは梳き櫛の位置調整を行なうことができず、したがって、梳き櫛ユニットを用いた散髪やひげ切断を等を常に適正に行なうことができるバリカンを提供することにある。
【課題を解決するための手段】
【０００８】
本発明に係るバリカンは、ヘッド部４に設けた梳き櫛ユニット１０が、取付ベース１５と、取付ベース１５で前後スライド可能に案内される梳き櫛１６とを備えている。取付ベース１５と梳き櫛１６との間には、梳き櫛１６のヘッド部前方へのスライド移動のみを許すラチェット構造を設ける。梳き櫛１６に、梳き櫛１６をヘッド部４の前方へ向かってスライド操作する操作ノブ４４を設ける。ラチェット構造の戻り規制動作を解除する解除操作体３８を、操作ノブ４４の前部に配置する。
【０００９】
ラチェット構造は、取付ベース１５に設けられるラチェット歯４８の一群と、ラチェット歯４８に係脱するラチェット爪３９と、ラチェット爪３９を支持し梳き櫛１６に設けられる弾性アーム３５と、ラチェット爪３９とラチェット歯４８との係合を解除する向きに弾性アーム３５を変位操作する解除操作体３８とを含む。ラチェット歯４８およびラチェット爪３９のそれぞれを、ラチェット歯４８とラチェット爪３９の相対移動を許す傾斜面４８ａ・３９ａと、ラチェット歯４８とラチェット爪３９の相対移動を規制する規制面４８ｂ・３９ｂとで鋸刃状に形成する（図１参照）。弾性アーム３５のラチェット爪３９の前方にリブ４６を設ける。
【００１０】
取付ベース１５は、ヘッド部４の上面を覆うベース上壁１７を含んで構成する。梳き櫛１６は、ベース上壁１７で案内されるスライド上壁３１と、複数個の梳き歯３３とを含んで構成する。ベース上壁１７の内面にラチェット歯４８の一群を形成し、ラチェット歯４８と対向するスライド上壁３１にラチェット爪３９を備えた弾性アーム３５を設ける。弾性アーム３５はスライド上壁３１の上面より上方へ突出する状態で、スライド上壁３１と一体に形成する。弾性アーム３５とヘッド部４の上面との間に、弾性アーム３５の上下方向への弾性変形を許すアーム変形空間Ｓを確保する（図１１参照）。
【００１１】
アーム変形空間Ｓに臨むスライド上壁３１の後部に、スライド上壁３１の上面へ突出するコ字状の連結枠３６を設ける。操作ノブ４４に設けた連結凹部５４を連結枠３６に係合して、操作ノブ４４の下面とヘッド部４の上面とを隙間Ｅを介して非接触状に対向させる（図１１参照）。
【００１２】
ベース上壁１７に、操作ノブ４４をスライド案内するノブ用ガイド溝２８を、ベース上壁１７の後縁から前方へ向かって形成する。操作ノブ４４の前部に配置した解除操作体３８を、ノブ用ガイド溝２８を介して取付ベース１５の上面に露出させる。
【００１３】
梳き櫛１６の連結枠３６を、ノブ用ガイド溝２８の後部開放端に臨んで設ける。連結凹部５４をノブ用ガイド溝２８の後方から連結枠３６に差し込み係合して、操作ノブ４４を梳き櫛１６に固定する。
【００１４】
操作ノブ４４は断面コ字状に形成して、その内部に連結枠３６と係合する連結凹部５４を設ける。連結凹部５４と連結枠３６との間に、互いに係合して操作ノブ４４が連結枠３６から分離するのを防ぐ第１突起４０と第２突起５５とを設ける。
【００１５】
操作ノブ４４の上面両側にフランジ６１を張り出す。フランジ６１は、ノブ用ガイド溝２８の左右の周縁壁で受け止める（図１０参照）。
【００１６】
ベース上壁１７に、スライド上壁３１を案内するガイド部２７を上向きに膨出する状態で形成する。ガイド部２７の内面の左右に設けたガイド側壁４３で、連結枠３６の左右の段部４２を案内する（図１０参照）。
【発明の効果】
【００１７】
本発明においては、取付ベース１５と、前後スライドする梳き櫛１６と、これら両者１５・１６の間に設けられるラチェット構造などで梳き櫛ユニット１０を構成し、ラチェット構造の戻り規制動作を解除する解除操作体３８を、操作ノブ４４の前部に配置した。このように、解除操作体３８を操作ノブ４４の近傍に配置すると、操作ノブ４４をヘッド前方へ押し出す操作と、解除操作体３８でラチェット構造の戻り規制動作を解除して、梳き櫛１６をヘッド後方へ戻す操作とを、指先の移動だけで簡単に行なえる。また、バリカンの本体ケース１や、ヘッド部４を掴んだ使用状態のままであっても、操作ノブ４４および解除操作体３８を指先で操作して、梳き櫛１６の位置を前後に調整できる。したがって、本発明の梳き櫛ユニット１０によれば、従来のこの種の梳き櫛ユニットに比べて、梳き櫛１６の位置調整を簡便に、しかも迅速に行なうことができる。
【００１８】
ラチェット構造を構成するラチェット歯４８およびラチェット爪３９のそれぞれを、傾斜面４８ａ・３９ａと規制面４８ｂ・３９ｂとで鋸刃状に形成すると、梳き櫛１６の前方移動を軽快に行ないながら、梳き櫛１６の後方移動を確実に阻止できる。梳き櫛１６が前方移動する場合には、ラチェット歯４８とラチェット爪３９の傾斜面４８ａ・３９ａの一方が他方を乗り越えるが、そのとき受ける乗り越え反力で弾性アーム３５を弾性変形させながら、歯４８と爪３９との乗り越え動作を円滑に行なえるからである。また、梳き櫛１６を後方へ移動操作しようとする場合には、ラチェット歯４８とラチェット爪３９の規制面４８ｂ・３９ｂどうしが接当するので、この場合には弾性アーム３５を弾性変形させることはできない。そのため、弾性アーム３５は突っ支い棒状に梳き櫛１６を受け止めて、該梳き櫛１６の後方移動を確実に阻止できる。したがって、鋸刃状のラチェット歯４８およびラチェット爪３９でラチェット構造を構成すると、梳き櫛１６が頭皮に押し付けられるような場合に、頭部からの押し付け反力によって梳き櫛１６がヘッド部４の後方へ後退するのを確実に防止して、刈り高さを一定に保持できる。また、弾性アーム３５のラチェット爪３９の前方にリブ４６を設けているので、切断された髪がラチェット爪３９の噛み合い部に入り込むのを阻止できる。
【００１９】
ベース上壁１７の内面にラチェット歯４８の一群を形成し、ラチェット歯４８と対向するスライド上壁３１に弾性アーム３５とラチェット爪３９を設けると、ラチェット爪３９が個々のラチェット歯４８を乗り越えるときの弾性アーム３５の撓み量を一定にできる。したがって、梳き櫛１６をヘッド部４の前方へ移動させるときの操作力を常に一定にして、梳き櫛１６の位置調整を確実に行なえる。因みに、弾性アーム３５にラチェット歯４８の一群を形成する場合には、個々のラチェット歯４８がラチェット爪３９を乗り越えるときの弾性アーム３５の撓み量が変化するので、梳き櫛１６をヘッド部４の前方へ移動させるときの操作力が大小に異なる。
【００２０】
また、弾性アーム３５をスライド上壁３１の上面より上方へ突出させて、弾性アーム３５とヘッド部４の上面との間にアーム変形空間Ｓを確保すると、弾性アーム３５の上下方向の撓み量を大きくでき、これに伴いラチェット歯４８とラチェット爪３９との係合寸法を大きくして、梳き櫛１６の後方移動をさらに確実に阻止できる。また、アーム変形空間Ｓを確保することにより、梳き櫛１６をヘッド部４の後方へ戻す際に、弾性アーム３５がヘッド部４の上面に擦れるのを防止でき、梳き櫛ユニット１０を外して使用するときのバリカンの外観を好適な状態に維持できる。
【００２１】
アーム変形空間Ｓに臨むスライド上壁３１の後部にコ字状の連結枠３６を設け、この連結枠３６に操作ノブ４４の連結凹部５４を係合すると、操作ノブ４４の下面とヘッド部４の上面とを隙間Ｅを介して非接触状に対向させることができる。したがって、梳き櫛１６を前方スライドし、あるいはヘッド部４の後方へ戻す際に、操作ノブ４４がヘッド部４の上面に擦れるのを防止して、バリカンの外観を好適な状態に維持できる。
【００２２】
操作ノブ４４用のノブ用ガイド溝２８を、ベース上壁１７の後縁から前方へ向かって形成し、操作ノブ４４の前部に配置した解除操作体３８を、ノブ用ガイド溝２８を介して取付ベース１５の上面に露出させると、解除操作体３８専用のガイド溝を省くことができる。また、ノブ用ガイド溝２８とは別に、解除操作体３８専用のガイド溝を設ける場合に比べて、取付ベース１５の構造を簡素化し構造強度を向上できるので、梳き櫛１６を取付ベース１５でより安定した状態でスライド案内できる。解除操作体３８を操作ノブ４４の前部に配置するので、これら両者３８・４４を使い分けるときの指先の動きを小さくして、梳き櫛１６の前後操作をさらに迅速に行なえる。
【００２３】
梳き櫛１６の連結枠３６をノブ用ガイド溝２８の後部開放端に臨んで設け、連結凹部５４をノブ用ガイド溝２８の後方から連結枠３６に差し込んで操作ノブ４４を梳き櫛１６に固定すると、操作ノブ４４の梳き櫛１６に対する組み付けを簡単に、しかも確実に行なえる。操作ノブ４４を連結枠３６に組み付ける際には、連結凹部５４と連結枠３６の位置や組み付け姿勢が適正であることを、ノブ用ガイド溝２８を介して確認しながら行なうことができ、さらに、組み付け結果をノブ用ガイド溝２８を介して確認できるからである。
【００２４】
連結凹部５４と連結枠３６との間に、第１突起４０と第２突起５５とを設けると、操作ノブ４４を連結枠３６に組み付けることにより、両突起４０・５５を互いに係合させて、操作ノブ４４が連結枠３６から分離するのを防止できる。また、連結凹部５４を連結枠３６に組む際には、連結枠３６と、連結枠３６と対向する壁とのそれぞれが、互いに逆向きに弾性変形して両突起４０・５５どうしが相手を乗り越えて係合できるので、操作ノブ４４の連結枠３６に対する組み付けを容易に行なえる。
【００２５】
操作ノブ４４の上面両側にフランジ６１を張り出し、これらのフランジ６１をノブ用ガイド溝２８の左右の周縁壁で受け止めると、フランジ６１とスライド上壁３１とで先の周縁壁を上下に挟んだ状態で、梳き櫛１６を安定してスライド案内できる。また、操作ノブ４４をヘッド部４の前方へスライドするとき、あるいは解除操作体３８を押し込み操作するような場合に、操作ノブ４４がノブ用ガイド溝２８の内部に沈み込むのをフランジ６１で規制できる。したがって、ラチェット爪３９とラチェット歯４８とを常に正常な状態で係合させて、ラチェット機能、とくにヘッド部４後方への移動規制機能を的確に発揮させることができる。
【００２６】
ベース上壁１７に上向きに膨出するガイド部２７を設け、ガイド部２７の内面に設けたガイド側壁４３で連結枠３６の左右の段部４２を案内すると、梳き櫛１６の蛇行を防いで前後方向のスライド動作を円滑化できる。さらに、ガイド部２７の内面のガイド側壁４３と連結枠３６の左右の段部４２とを利用して、梳き櫛１６をスライド案内するので、構造に無駄がなく、梳き櫛ユニット１０の全体構造の簡素化に貢献できる。
【図面の簡単な説明】
【００２７】
【図１】梳き櫛ユニットの縦断側面図である。
【図２】梳き櫛ユニットをヘッド部から分離した状態の平面図である。
【図３】梳き櫛ユニットとヘッド部の側面図である。
【図４】梳き櫛ユニットをヘッド部の装着した状態の平面図である。
【図５】梳き櫛ユニットの分解平面図である。
【図６】梳き櫛ユニットを分解した状態の縦断側面図である。
【図７】図１におけるＡ−Ａ線断面図である。
【図８】図１におけるＢ−Ｂ線断面図である。
【図９】図４におけるＣ−Ｃ線断面図である。
【図１０】図４におけるＤ−Ｄ線断面図である。
【図１１】図４におけるＥ−Ｅ線断面図である。
【図１２】操作ノブの連結構造を示す縦断側面図である。
【発明を実施するための形態】
【００２８】
（実施例）  図１ないし図１２は本発明に係るバリカンの実施例を示す。この実施例における前後、左右、上下とは、図２および図３に示す交差矢印と、各矢印の近傍に表示した前後、左右、上下の表記に従うこととする。図２においてバリカンは、本体ケース１と、その内部に配置されるモーター２、２次電池３、および制御基板と、本体ケース１の前端のヘッド部４に配置されるせん断刃ユニット５などで構成する。本体ケース１の一側にはモーター２への通電状態をオン、オフするスイッチノブ６が設けられている。せん断刃ユニット５は、ヘッド部４の滑り面１２に沿って配置される固定刃７と可動刃８とを備えており、可動刃８はモーター２の出力軸に固定した偏心カム９で左右方向へ往復駆動される。ヘッド部４には、髪やひげの刈り高さを調整するための梳き櫛ユニット１０が着脱可能に装着されている。
【００２９】
図２ないし図６において梳き櫛ユニット１０は、ヘッド部４の外面に装着される取付ベース１５と、取付ベース１５で前後スライド可能に案内される梳き櫛１６と、両者の間に設けられるラチェット構造と、梳き櫛１６に装着される操作ノブ４４などで構成する。
【００３０】
取付ベース１５は、ヘッド部４の上面を覆うベース上壁１７と、ヘッド部４の左右側面および下面を覆うベース側壁１８およびベース下壁１９とで、前後面が開口する筒枠状に形成されている。左右のベース側壁１８の内面には、先端に係合爪２０を備えた弾性アーム２１と、位置決め片２２が一体に設けられている。また、ベース下壁１９の内面には左右一対のガイド突起２３が形成されている。
【００３１】
ヘッド部４の左右側面には、係合爪２０に対応して連結部２５が凹み形成されており、さらに位置決め片２２を係合するための位置決め突起２６が形成されている。左右のベース側壁１８の対向間隔は、ヘッド部４に設けた位置決め突起２６の突端面間の左右幅に一致させてある。ベース上壁１７の上面の中央部には、梳き櫛１６をスライド案内するためのガイド部２７が上向きに膨出する状態で形成され、その後縁から前方へ向かって、後述する操作ノブ４４をスライド案内するノブ用ガイド溝２８が形成されている。ガイド部２７に隣接するベース上壁１７の一側には、刈り高さ数字を視認するための窓２９が開口されており、この窓２９を介して表示される数字によって、髪やひげの刈り高さを知ることができる。
【００３２】
梳き櫛１６は、ベース上壁１７で案内されるスライド上壁３１と、ベース下壁１９で案内されるスライド下壁３２と、スライド上壁３１およびスライド下壁３２を繋ぐ横臥Ｖ字状の複数個の梳き歯３３とを一体に備えている。スライド上壁３１の上面には、四角形状の弾性アーム３５が一体に形成されており、その後端に隣接するスライド上壁３１の上面に、後端側から見てコ字状の連結枠３６が形成されている。図示していないが、先に説明した窓２９と対応するスライド上壁３１には、３〜１０のアラビア数字が表示されており、これらの数字によって梳き櫛１６の調整後の刈り高さ位置を１ミリ単位で知ることができる。なお、アラビア数字が３のときの刈り高さは３ｍｍである。
【００３３】
図６に示すように、弾性アーム３５は、スライド上壁３１の上面より上方へ突出する状態で形成されており、その後端（自由端）の上面中央に解除突起（解除操作体）３８が突設され、解除突起３８の左右両側に一対のラチェット爪３９が突設してある（図５参照）。弾性アーム３５をスライド上壁３１の上面より上方へ突出させることにより、図１１に示すように弾性アーム３５とヘッド部４の上面との間に、弾性アーム３５の下方向への弾性変形を許すアーム変形空間Ｓを確保することができる。連結枠３６は、弾性アーム３５と同様に、スライド上壁３１の上面より上方へ突出する状態で形成されている。連結枠３６の上面中央には、後述する操作ノブ４４を連結するための第１突起４０が四角ブロック状に突設されており、その後部上縁には、後述する第２突起５５の乗り越えを容易化するガイド斜面４１が形成されている（図１２参照）。
【００３４】
図５に示すように、弾性アーム３５の上面でラチェット爪３９の近傍前方には、一対のリブ４６が設けてある。一対のリブ４６は、弾性アーム３５の前方へ向かって前すぼまり状になる状態でハ字形に配置してあり、切断された髪がラチェット爪３９の噛み合い部に入り込むのを阻止する。リブ４６は、複数のラチェット歯４８の下端（歯先）で受け止められるので、梳き櫛１６を前方へスライド操作するときにラチェット歯４８の歯溝に落ち込むことはなく、したがって、梳き櫛１６の前後スライドを円滑に行なえる。一対のリブ４６に案内された髪はアーム変形空間Ｓへと排出される。
【００３５】
梳き櫛１６を取付ベース１５に組み付けた状態においては、連結枠３６の左右の段部４２が、ガイド部２７の内面左右に設けたガイド側壁４３で前後スライドのみ自在に案内されている（図１０参照）。また、図８に示すようにスライド下壁３２が、ベース下壁１９に設けた一対のガイド突起２３で前後スライドのみ自在に案内されている。このように、前後スライド自在に案内支持したうえで、梳き櫛１６のヘッド部前方へのスライド移動は許すが、ヘッド部後方への戻り移動を規制するために、取付ベース１５と梳き櫛１６との間にラチェット構造が設けられている。また、梳き櫛１６の連結枠３６に、梳き櫛１６をヘッド部の前方へ向かってスライド操作するための操作ノブ４４が装着されている。
【００３６】
ラチェット構造は、ガイド部２７の内面に形成されるラチェット歯４８の一群と、ラチェット歯４８に係脱するラチェット爪３９と、ラチェット爪３９を支持する弾性アーム３５と、弾性アーム３５を係合解除操作する解除突起３８とで構成する。図１１に示すように、各ラチェット歯４８は、ラチェット爪３９の前方への乗り越えを許す傾斜面４８ａと、ラチェット爪３９の後方への移動を規制する規制面４８ｂとで鋸刃状に形成されており、ノブ用ガイド溝２８に臨んで直線列状に形成してある。ラチェット爪３９も同様の鋸刃状に形成するが、１個の傾斜面３９ａと１個の規制面３９ｂのみ構成する点が異なる。
【００３７】
図５および図６において、操作ノブ４４は、ノブ上壁５１と、ノブ後壁５２と、ノブ下壁５３とで断面コ字状に形成されており、その内面に前方へ向かって開口する連結凹部５４が形成されている。連結凹部５４に臨むノブ上壁５１の下面には、先に説明した第１突起４０と係合する第２突起５５が突設されている。第２突起５５の下端前縁には、第１突起４０の乗り越えを容易化するガイド斜面５６が形成されている（図１２参照）。ノブ上壁５１の前部中央には、解除突起３８を受け入れる操作凹部６０が形成されている。また、ノブ上壁５１の左右両側にはフランジ６１が張り出されており、これらのフランジ６１はノブ用ガイド溝２８の左右の周縁壁で受け止め支持される（図９および図１０参照）。ノブ上壁５１には、滑り止め用の溝が平行に形成されている。
【００３８】
取付ベース１５、梳き櫛１６および操作ノブ４４は、以下のようにして組み立てる。まず、梳き櫛１６のスライド上壁３１およびスライド下壁３２を、取付ベース１５の前開口の側からベース内部に差し込み、スライド下壁３２をガイド突起２３で案内する。この状態で、解除突起３８をノブ用ガイド溝２８内に露出させ、梳き櫛１６の全体を後方限界位置まで押し込み操作して、梳き櫛１６を取付ベース１５と一体化する。この組立状態において、梳き櫛１６に設けた連結枠３６は、ノブ用ガイド溝２８の後部開放端に臨んでいる。次に、連結凹部５４をノブ用ガイド溝２８の後方から連結枠３６に差し込み係合して、操作ノブ４４を梳き櫛１６に固定する。
【００３９】
上記のように、操作ノブ４４を梳き櫛１６に固定した状態においては、第１突起４０と第２突起５５とが互いに係合して、操作ノブ４４が連結枠３６から分離するのを阻止できる（図１２参照）。また、操作ノブ４４のノブ下壁５３の下面は、ヘッド部４の上面と隙間Ｅ（図１１参照）を介して対向しているので、梳き櫛１６をヘッド部４の前方へスライド操作するとき、ノブ下壁５３の下面がヘッド部４の上面に擦れるのを防止できる。解除突起３８は、ノブ用ガイド溝２８を介して取付ベース１５の上面に露出しており、さらに、操作ノブ４４の操作凹部６０内に位置する状態でノブ上壁５１に隣接している。
【００４０】
梳き櫛ユニット１０は、図３に示すようにユニット全体をヘッド部４の前面の傾斜する滑り面１２に沿って傾け、取付ベース１５の後開口をヘッド部４の前部に差し込み、徐々に水平姿勢に戻しながらヘッド部４に装着して使用する。この装着状態においては、図７に示すように、取付ベース１５に設けた弾性アーム２１の係合爪２０が、連結部２５に落ち込み係合し、さらに位置決め片２２が位置決め突起２６の上面に係合している。さらに、取付ベース１５の前部左右がヘッド部４の前部側壁に密着して、相対変位不能に保持固定されている。したがって、取付ベース１５がヘッド部４に対してぐらつくことはなく、梳き櫛ユニット１０の全体を安定した状態で支持できる。このときのラチェット爪３９は、最後部のラチェット歯４８と係合している。
【００４１】
上記の状態から、操作ノブ４４に指先をあてがって、梳き櫛１６をヘッド部４の前方へ押すことにより、ラチェット爪３９が弾性アーム３５を弾性変形させながらラチェット歯４８を乗り越えて、梳き櫛１６の前方移動に追随する。したがって使用者は、窓２９に現われる数字を確認しながら、梳き櫛１６の前方移動量を調整することにより、所望する刈り高さ位置に梳き櫛１６を移動することができる。
【００４２】
勢いあまって梳き櫛１６を過剰に前方へ移動してしまうことがある。あるいは、位置調整した後の梳き櫛１６を、現在の調整位置よりヘッド部後方へ位置変更したい場合がある。こうした場合には、解除突起３８を弾性アーム３５の弾性力に抗しながら押し込み操作し、ラチェット爪３９のラチェット歯４８との係合を解除して、梳き櫛１６をヘッド部４の後方へスライド操作する。その場合には、窓２９に現われる数字を見ながら少しずつ梳き櫛１６を後側へ戻すことができる。あるいは、梳き櫛１６を後端の調整待機位置まで一旦戻したうえで、再度前方へスライド操作して調整し直すことができる。
【００４３】
いずれの場合にも、解除突起３８を押し込み操作した状態のままで、操作ノブ４４をヘッド部４の後方へ引き寄せ操作すればよく、梳き櫛１６の移動を片方の手の指先の操作だけで簡単に、しかも迅速に行なえる。例えば、本体ケース１を握った状態のままであっても、人差し指のみでラチェット爪３９の係合を解除し、さらに梳き櫛１６を引き寄せ操作して調整待機位置まで戻すことができる。図１に示すように、スライド下壁３２に連続する傾斜歯部は、上傾斜面と下傾斜面とでく字状に形成されており、使用時には上傾斜面を頭皮に沿って滑らせながら散髪し、あるいは下傾斜面を頭皮に沿って滑らせながら散髪することができる。したがって、梳き櫛１６を任意の調整位置に位置させた状態であっても、上傾斜面を基準にして散髪を行なうと刈高さを短くでき、下傾斜面を基準にして散髪を行なうと刈高さを長くすることができる。
【００４４】
上記の実施例における梳き櫛ユニット１０は、以下の形態で実施することができる。
ヘッド部４の前面に上り傾斜する滑り面１２が設けられ、滑り面１２の上端にせん断刃ユニット５が配置されており、
梳き櫛ユニット１０が、取付ベース１５と、取付ベース１５で前後スライド可能に案内される梳き櫛１６と、梳き櫛１６に装着される操作ノブ４４と、梳き櫛１６のヘッド部前方へのスライド移動のみを許すラチェット構造を備えており、
取付ベース１５が、ヘッド部４の上面を覆うベース上壁１７を含んで構成されており、
梳き櫛１６が、ベース上壁１７で案内されるスライド上壁３１と、横臥Ｖ字状の複数個の梳き歯３３とを含んで構成されており、
ラチェット構造は、ラチェット歯４８の一群と、ラチェット歯４８に係脱するラチェット爪３９と、ラチェット歯列とラチェット爪３９のいずれか一方を支持する弾性アーム３５と、ラチェット爪３９とラチェット歯４８との係合を解除する向きに弾性アーム３５を変位操作する解除操作体３８とを含み、
ラチェット構造が、滑り面１２と対向する梳き櫛ユニット１０の上部に配置してあるバリカン。
【００４５】
上記構成の梳き櫛ユニット１０によれば、ラチェット構造を滑り面１２と対向する梳き櫛ユニット１０の上部に配置するので、髪を切断するときに、頭部からの押し付け反力によって梳き櫛１６がヘッド部４の後方へ後退するのを確実に防止できる。頭部からの押し付け反力は、梳き櫛１６を滑り面１２と密着する向きに押し付ける。そのため、押し付け反力を受けたラチェット爪３９（またはラチェット歯４８）は、ラチェット歯４８（またはラチェット爪３９）に対してお互いに爪と歯が食い込む方向に押し付けられ、ラチェット構造による移動規制作用が効果的に発揮される。
【００４６】
具体的には、ベース上壁１７の内面にラチェット歯４８の一群を形成し、ラチェット歯４８と対向するスライド上壁３１にラチェット爪３９を備えた弾性アーム３５が設けられており、
解除操作体３８が、弾性アーム３５に設けてある形態で実施することができる。
【００４７】
梳き櫛１６のスライド上壁３１にラチェット爪３９と弾性アーム３５を設け、さらに解除操作体３８を弾性アーム３５に設けると、ラチェット爪３９が個々のラチェット歯４８を乗り越えるときの弾性アーム３５の撓み量を一定にできる。これにより、梳き櫛１６をヘッド部４の前方へ移動させるときの操作力を常に一定にして、梳き櫛１６の位置調整を確実に行なえる。
【００４８】
上記の実施例では、梳き櫛ユニット１０がヘッド部４に対して着脱される場合について説明したが、梳き櫛ユニット１０はヘッド部４に対して常に装着した状態で使用する構造であってもよい。また、上記の実施例では、ノブ用ガイド溝２８を利用して解除突起３８を取付ベース１５の上面に露出させるようにしたが、その必要はなく、解除突起３８を操作ノブ４４の側方に隣接配置して、専用のガイド溝で案内することができる。梳き櫛１６は、スライド上壁３１と、スライド下壁３２と、これら両壁３１・３２を繋ぐ左右一対の側壁とで前後面が開口する筒枠状に形成し、スライド下壁３２の前端から一群の梳き歯３３を片持ち梁状に突設する構造とすることができる。
【００４９】
さらに、上記の実施例では、弾性アーム３５にラチェット爪３９を設けたが、その必要はなく、ラチェット歯４８の一群を弾性アーム３５に設けることができる。その場合のラチェット爪３９は、取付ベース１５のベース上壁１７の下面１個所に設けてあればよい。解除操作体３８は弾性アーム３５と一体に設ける必要はない。例えば操作ノブ４４に設けた押しボタンで解除操作体３８を構成して、弾性アーム３５を係合解除する向きへ変位操作することができる。
【符号の説明】
【００５０】
１  本体ケース
４  ヘッド部
１０  梳き櫛ユニット
１５  取付ベース
１６  梳き櫛
３５  弾性アーム
３６  連結枠
３８  解除突起（解除操作体）
３９  ラチェット爪
４４  操作ノブ
４８  ラチェット歯
【図１】
0005459702.tif 000002
【図２】
0005459702.tif 000003
【図３】
0005459702.tif 000004
【図４】
0005459702.tif 000005
【図５】
0005459702.tif 000006
【図６】
0005459702.tif 000007
【図７】
0005459702.tif 000008
【図８】
0005459702.tif 000009
【図９】
0005459702.tif 000010
【図１０】
0005459702.tif 000011
【図１１】
0005459702.tif 000012
【図１２】
0005459702.tif 000013